(57)【要約】      （修正有）【課題】衣料の前部を構成する肌側に位置する下前部と外側に位置する上前部を有する衣料において、前面の合わせ部がはだけたり、下着が外部から見えることを防止し、且つバストのフィット性が良好でありバストの外観を向上させることが可能な前合わせカップ付衣料を提供する。【解決手段】衣料の前部を構成する肌側に位置する下前部２ａと外側に位置する上前部２ｂを有する衣料において、下前部２ａの端縁は、着用者の前面を他方の体側部まで覆うとともに、下前部２ａには、着用者のバスト部分を覆う左右のバスト部材としてのバストカップ体１２、１３を装着し、下前部２ａの端縁は、少なくともその上端部が上前部２ｂの内面に着脱自在又は固定した状態で設けられる。【選択図】図１
0003213186.tif 000002
【実用新案登録請求の範囲】
【請求項１】
衣料の前部を構成する肌側に位置する下前部と外側に位置する上前部を有する衣料において、
前記下前部の端縁は、着用者の前面を他方の体側部まで覆うとともに、前記下前部には、着用者のバスト部分を覆う左右のバスト部材を装着し、
前記下前部の端縁は、少なくともその上端部が前記上前部の内面に着脱自在又は固定した状態で設けられることを特徴とする前合わせカップ付衣料。
【請求項２】
前記下前部の端縁は、着用者の前面を他方の体側部から背面にわたり覆うことを特徴とする請求項１に記載の前合わせカップ付衣料。
【請求項３】
前記左右のバスト部材は、前記下前部の内面に設けられた収容部に収容されることを特徴とする請求項１又は２に記載の前合わせカップ付衣料。
【請求項４】
前記下前部の端縁は、その中間部が前記上前部の内面に着脱自在又は固定した状態で設けられる請求項１乃至３のいずれかに記載の前合わせカップ付衣料。
【請求項５】
前記下前部は、その上端部の中央に着用者が頭部を挿入する開口部を有する請求項１乃至４のいずれかに記載の前合わせカップ付衣料。
【請求項６】
前記衣料は、前記開口部の一側部及び上部を覆う襟部を有する請求項１乃至５のいずれかに記載の前合わせカップ付衣料。
【考案の詳細な説明】
【技術分野】
【０００１】
この考案は、浴衣、作業衣、カシュクールやガウン等の前合わせカップ付衣料に関するものである。
【背景技術】
【０００２】
従来、浴衣等の前合わせ衣料に関する技術としては、特許文献１乃至６等に開示されたものが既に種々提案されている。
【０００３】
特許文献１は、浴衣、襦袢等の和服において、和服本体にブラジャーを接続具で直接取り付けて装着できるようにしたことを特徴とする浴衣、襦袢等の和服である。
【０００４】
特許文献２は、浴衣において上前の衿に沿った衿の裏側、および衿の上下端の間の下前の表側に帯位置に沿って、帯状のマジックテープ（登録商標）を取付けたことを特徴とした浴衣である。
【０００５】
特許文献３は、女性用色浴衣を外出着ではなく、部屋着、くつろぎ着として着用するために、通常の着丈より２５ｃｍ〜３０ｃｍ短くし、帯ではなく腰紐のようなものを装着することとし、はだけることを防ぐように各前身頃に結び紐を取り付け、腰紐のようなもののずれを防ぐために輪を取り付け、色浴衣の持つ可憐で爽やかで艶やかな雰囲気を保ちながらバスローブのように簡単に気軽に着用できる、浴衣ローブとして提供するものである。
【０００６】
特許文献４は、上衣部と、筒状に形成され、その下部側に、歩き易くするための切り開き部が縦方向に所要長さにわたって設けられた下衣部とからなるもので、上衣部をはおり、その衿を前で交差させて腰ひもを締めることにより、上衣部を着用者の上半身に装着し、筒状の下衣部をはいて、この下衣部の中に上衣部の下部側を入れた状態で、下衣部の上端部を覆い隠すように帯を巻き付けてなる二部式浴衣である。
【０００７】
特許文献５は、身体の前で右前身頃と左前身頃を打ち合わせて着用する浴衣形であり、打ち合わせの身体側となる一方の前身頃に縦方向に複数のひだが形成され、このひだは、縦方向の長さが腹部から上記前身頃の裾に達し、前記ひだの幅方向の一端縁部は前記前身頃から連続し、他方の幅方向の端縁部は自由端となり、前記他方の幅方向端縁部には、前記ひだが設けられた前身頃と反対側の前身頃の内側に着脱自在に係止される係合手段が設けられていることを特徴とする寝衣である。
【０００８】
特許文献６は、前身頃の少なくとも一方の裾線（６）が、中心線（１）に直行する線に対し斜めである和服であって、褄先部分（２）と脇裾部分（３）の寸法差（Ｌ１）が１〜８cmであることを特徴とする和服である。
【先行技術文献】
【特許文献】
【０００９】
【特許文献１】特開２００７−１７７３５８号公報
【特許文献２】特開２００６−１６７４２号公報
【特許文献３】実用新案登録第３１７３７６６号公報
【特許文献４】実用新案登録第３１７１０７４号公報
【特許文献５】実用新案登録第３１４３４４８号公報
【特許文献６】特開平１１−１２８１０号公報
【考案の概要】
【考案が解決しようとする課題】
【００１０】
しかしながら、上記従来技術の場合には、次のような技術的課題を有している。すなわち、女性が着用する浴衣などの下前及び上前が有る衣料においては、着用者がリラックスしている際や身体を動かした場合など、帯を締めている状態でも衣料の前面の合わせ部がはだけてしまう事が有る。特に、旅館などの浴衣は、就寝時に寝間着としても着用するものであり、衣料の前面の合わせ部がはだけてしまう虞れを有している。
【００１１】
又、浴衣等の衣料を着用する際には、下着としてブラジャーや肌着を下に着用し、万が一衣料の前部がはだけてしまっても外部からバストが見えないようにしているのが一般的である。
【００１２】
しかし、この場合には、バストが外部に露出することは防止できるものの、ブラジャーや肌着が外部から見えてしまう事は避けられない。
【００１３】
さらに、ガウンやバスローブの様なもので有れば、部屋着として下着を着用しないことが多いが、急な来客時や災害などの緊急時に、前部がはだけて人に見られてしまうという虞れを有している。
【００１４】
そこで、この考案は、上記従来技術の課題を解決するものであり、その目的とするところは、衣料の前部を構成する肌側に位置する下前部と外側に位置する上前部を有する衣料において、前面の合わせ部がはだけたり、下着が外部から見えることを防止し、且つバストのフィット性が良好でありバストの外観を向上させることが可能な前合わせカップ付衣料を提供することにある。
【課題を解決するための手段】
【００１５】
この考案は、上記の課題を解決するため、次のような技術的手段を採用している。すなわち、請求項１に記載された発明は、衣料の前部を構成する肌側に位置する下前部と外側に位置する上前部を有する衣料において、
前記下前部の端縁は、着用者の前面を他方の体側部まで覆うとともに、前記下前部には、着用者のバスト部分を覆う左右のバスト部材を装着し、
前記下前部の端縁は、少なくともその上端部が前記上前部の内面に着脱自在又は固定した状態で設けられることを特徴とする前合わせカップ付衣料である。
【００１６】
上記衣料の下前部は、例えば、幅を従来の衣料より大きく設定し、下前部の端縁は、着用者の前面を他方の体側部まで覆うように構成される。また、衣料の襟元部分は、胸元までとし、当該胸元から他方のバストの上方向にわたり覆うように形成される。
【００１７】
また、上記衣料は、着用してから、下前部端縁の上端部が上前部の肩部に紐を介して固定することで着脱自在に装着される。
【００１８】
請求項２に記載された発明は、前記下前部の端縁は、着用者の前面を他方の体側部から背面にわたり覆うことを特徴とする請求項１に記載の前合わせカップ付衣料である。
【００１９】
上記衣料は、下前部の端縁が着用者の前面を他方の体側部から背面にわたり覆うことで、帯で締めるだけで前面がはだける心配が無く、更にバスト部材を備えることで、バストのフィット性及びバストの外観を向上させることが可能となる。
【００２０】
請求項３に記載された発明は、前記左右のバスト部材は、前記下前部の内面に設けられた収容部に収容されることを特徴とする請求項１又は２に記載の前合わせカップ付衣料である。
【００２１】
上記左右のバスト部材としては、女性のバスト形状に適合した三次元形状に形成されたバストカップ体が用いられる。
【００２２】
請求項４に記載された発明は、前記下前部の端縁は、その中間部が前記上前部の内面に着脱自在又は固定した状態で設けられる請求項１乃至３のいずれかに記載の前合わせカップ付衣料である。
【００２３】
請求項５に記載された発明は、前記下前部は、その上端部の中央に着用者が頭部を挿入する開口部を有する請求項１乃至４のいずれかに記載の前合わせカップ付衣料である。
【００２４】
請求項６に記載された発明は、前記衣料は、前記開口部の一側部及び上部を覆う襟部を有する請求項１乃至５のいずれかに記載の前合わせカップ付衣料である。
上記衣料は、襟部を有することにより、着用時には和装としての外観を呈する。
【考案の効果】
【００２５】
この発明によれば、衣料の前部を構成する肌側に位置する下前部と外側に位置する上前部を有する衣料において、前面の合わせ部がはだけたり、下着が外部から見えることを防止し、且つバストのフィット性が良好でありバストの外観を向上させることが可能な前合わせカップ付衣料を提供することができる。
【図面の簡単な説明】
【００２６】
【図１】図１はこの考案の実施の形態１に係る前合わせカップ付衣料の一例としての浴衣からなる前合わせカップ付衣料を示す正面構成図である。
【図２】図２はこの考案の実施の形態１に係る前合わせカップ付衣料の一例としての浴衣からなる前合わせカップ付衣料を示す背面構成図である。
【図３】図３はこの考案の実施の形態１に係る前合わせカップ付衣料の一例としての浴衣からなる前合わせカップ付衣料の要部を示す内面構成図である。
【図４】図４は左右のバストカップ体を示す構成図である。
【図５】図５はこの考案の実施の形態２に係る前合わせカップ付衣料の一例としての浴衣からなる前合わせカップ付衣料の要部を示す内面構成図である。
【考案を実施するための形態】
【００２７】
以下に、この考案の実施の形態について図面を参照して説明する。
【００２８】
実施の形態１
図１及び図２はこの考案の実施の形態１に係る前合わせカップ付衣料（前合わせ衣料）の一例としての浴衣からなるカップ付き衣料を示す正面構成図及び背面構成図である。
【００２９】
このカップ付き衣料１は、図１及び図２に示すように、前身頃２及び後身頃３からなる身頃部４と、身頃部４の左右の袖ぐり部にそれぞれ縫着された左右の袖部５、６と、身頃部４の上端部に位置する襟ぐり部に形成された襟部７とを備えている。なお、カップ付き衣料１の身頃部４の長さ（丈）は、足元まで及ぶ長さであっても良いが、動き易さ等を考慮して七分丈や膝丈などに設定しても良い。
【００３０】
前身頃２は、下前部２ａと上前部２ｂとから構成されている。下前部２ａは、通常の浴衣よりも幅が広く形成されており、下前部２ａの端縁２ａ’は、少なくとも着用者の前面を全領域にわたり覆うように構成されている。更に望ましくは、下前部２ａの端縁２ａ’は、着用者の前面を他方の体側部まで或いは体側部から背面にわたる部分の一部を覆うように構成される。下前部２ａの中央部上端には、着用者が頭部を挿入する正面略Ｖ字形状の開口部８が設けられている。開口部８の周囲には、上前部２ｂ側の側面を除いて帯状に形成された襟部７が縫着されている。開口部８を形成する下前部２ａの一方の上端縁２１は、上前部２ｂの肩部２ｂ’に相当する位置まで斜め上方に向けて延長されている。また、下前部２ａの上前部２ｂ側に位置する端縁２２は、上端部から着用者（女性）のバストの側方に位置する体側部に向けて湾曲する湾曲形状に形成されている。その結果、下前部２ａの上前部２ｂ側に位置する上端部は、着用者の左側のバスト部分の全面を覆い、且つ上端部に向けて幅が狭くなるように彎曲した正面略三角形状乃至台形状に形成されている。また、下前部２ａの上前部２ｂと反対側に位置する上端部は、開口部８を除いて着用者の左側のバスト部分の全面を覆うように矩形状に形成されている。
【００３１】
下前部２ａの上前部２ｂ側に位置する上端部には、図３に示すように、当該上端部を上前部２ｂの内面の肩部に着脱自在に装着するための肩紐９が縫着や接着等の手段により設けられている。また、上前部２ｂの内面の肩部には、下前部２ａの肩紐９と着脱自在に結合するための肩紐１０が縫着や接着等の手段により設けられている。なお、下前部２ａの上前部２ｂ側に位置する上端部は、上前部２ｂの内面の肩部に直接縫着することにより固定しても良い。
【００３２】
なお、この実施の形態では、下前部２ａと上前部２ｂを固定するために肩紐９、１０を使用している。その理由は、カップ付き衣料１は、浴衣やリラックスウエア等の使用を前提としており、旅館などにおける耐洗濯性（リネン）を考慮しているため、ゴム、弾性生地、ファスナやボタン等を使用していない。また、旅館などにおける耐洗濯性（リネン）に支障がなければ、紐以外にもボタン、スナップボタン、ファスナ、面ファスナなどのほか固定可能な手段を含め、下前部２ａと上前部２ｂを固定するように構成しても良い。
【００３３】
下前部２ａの着用者のバストに相当する部分は、図３に示すように、裏地１１が縫着されて二重に構成されている。裏地１１は、下前部２ａの前面に位置する全幅に相当する幅を有し、バストの下端部から上端部に相当する高さを有する矩形状に形成されている。裏地１１は、その上端部の左右の一部を除いて全周が下前部２ａに縫着されており、裏地１１と下前部２ａとの間に女性のバスト部分を覆う左右のバスト部材の一例としての左右のバストカップ体１２，１３を挿入する収容部の一例としての左右の収容ポケット１４，１５を構成している。左右の収容ポケット１４，１５は、左右別々或いは左右一体的に設けられている。左右の収容ポケット１４，１５の上端部には、左右のバストカップ体１２，１３を着脱するための開口部１６，１７がそれぞれ設けられている。なお、開口部１６，１７の位置は、左右の収容ポケット１４，１５の上端部に限定されず、左右の収容ポケット１４，１５の体側部側などに設けても良い。
【００３４】
左右のバストカップ体１２、１３は、左右のバストカップ部１８、１９の保形性を高めるとともに、必要に応じてバストの補正効果を発揮させるためのものである。左右のバストカップ体１２、１３は、図４に示すように、女性のバストの形状に合わせて或いは女性のバストを人体の中央上部に移動させるようにモールド成型によって三次元形状に形成されたウレタンや不織布等からなるカップ本体１２ａ、１３ａと、カップ本体１２ａ、１３ａの表裏を覆う表布１２ｂ、１３ｂ及び裏布１２ｃ、１３ｃと、カップ本体１２、１３の外周を縁取る縁取りテープ１２ｄ、１３ｄとから構成されている。
【００３５】
なお、左右のバストカップ体１２、１３としては、モールド成型によって三次元形状に形成されたものに限らず、左右のバスト部分を覆う平面的なものや、通常成型されたウレタンカップや不織布等を縫製することにより、三次元形状に形成したカップ体などを用いても良い。また、左右のバストカップ体１２、１３は、一体的に構成したものであっても勿論良い。
【００３６】
左右のバストカップ体１２、１３は、上述したように、図３に示す如く、開口部１６，１７を介してカップ付き衣料１の左右のポケット部１４，１５内に収容することにより装着されて使用される。また、左右のポケット部１４，１５には、左右のバストカップ体１２、１３の外形状に沿って縫着した図示しない位置決め部を設けることにより、当該左右のバストカップ体１２、１３を所要の位置に位置決めするように構成しても良い。
【００３７】
また、左右のバストカップ体１２、１３は、着用者の体型に応じて予め複数のサイズが用意されており、着用時又は購入時に適宜着用者の体型に合ったサイズのものに交換可能となっている。
【００３８】
カップ付き衣料１を構成する素材は、特に限定されない。ただし、旅館などの浴衣として使用する場合を考慮すると、浴衣生地と同じように綿織物などを使用し、リネン（洗濯）の耐久性を加味した素材を用いるのが望ましい。
【００３９】
また、リネンの問題が無い商品、例えば一般衣料として使用するものであれば、人体のバスト部に接触するポケット部１４，１５などは、肌触りが良い綿素材や編組織などで構成しても良い。
【００４０】
以上の構成において、この実施の形態に係る前合わせカップ付衣料では、次のようにして、衣料の前部を構成する肌側に位置する下前部と外側に位置する上前部を有する衣料において、前面の合わせ部がはだけたり、下着が外部から見えることを防止し、且つバストのフィット性が良好でありバストの外観を向上させることが可能となっている。
【００４１】
すなわち、この実施の形態に係るバストカップ付き衣料１は、図３に示すように、下前部２ａの上前部２ｂ側に位置する上端部に設けられた肩紐９と、上前部２ｂの内面の肩部に設けられた肩紐１０とを結んで互いに連結し、下前部２ａの上前部２ｂ側に位置する上端部を上前部２ｂの内面の肩部に固定した後、当該バストカップ付き衣料１の上端部中央に位置する開口部８に頭部を通すようにして着用する。
【００４２】
なお、バストカップ付き衣料１は、着用者が開口部８に頭部を通すようにして着用した後に、下前部２ａの上前部２ｂ側に位置する上端部に設けられた肩紐９と、上前部２ｂの内面の肩部に設けられた肩紐１０とを結んで固定するようにしても良い。
【００４３】
その後、バストカップ付き衣料１は、下前部２ａの体側部に設けられた脇紐２５と、上前部２ｂの内面の体側部に設けられた脇紐２６とを結んで互いに連結することにより、下前部２ａと上前部２ｂの合わせ部がはだけることが防止される。
【００４４】
バストカップ付き衣料１は、下前部２ａの体側部に設けられた脇紐２５と、上前部２ｂの内面の体側部に設けられた脇紐２６とを結んで互いに連結した状態で、左右のバストカップ部１２，１３が着用者の左右のバストにフィットして着用感が良好であるとともに、バストの外観を向上させることができる。
【００４５】
その後、バストカップ付き衣料１は、上前部２ｂを下前部２ａの前面に重ね合わせた状態で、図示しない帯等により固定することにより着用が完了する。
【００４６】
このように、上記の実施の形態に係るバストカップ付き衣料１の場合には、下前部２ａが肩部分と脇部分で互いに結合することができるため、部屋でのリラックス、身体の動き、寝そべっても、寝間着としてもあらゆる場面でも従来の衣料と違いはだけて胸が見える虞れがない。
【００４７】
また、バストカップ付き衣料１によれば、バスト部分に三次元形状に形成された左右のバストカップ１２、１３が内蔵されているため、ブラジャーや下着は必要なく、脱着時の手間が少なくなる。今までの衣料と異なりブラジャーや下着を着用する煩わしさが無くなる。
【００４８】
また、バストカップ付き衣料１によれば、複数回の温泉入浴やサロン等の脱ぎ着など、複数回脱着が必要な場合は大きな効果を奏する。
【００４９】
左右のバストカップ１２、１３は、人体形状に沿った三次元形状に形成されており、体側部方向から支える構造であるため、バストスタイルの向上とフィット性に優れている。
【００５０】
バストカップ付き衣料１によれば、下前部２ａと上前部２ｂとを肩紐で結んで互いに連結することにより、肩紐の結ぶ長さを調整することによって着用者の体型の違いに対応することができる。
【００５１】
また、バストカップ付き衣料１によれば、和装の場合、襟を胸元まで作り、着用時に上前が交差した際には通常の和装の装いと同じく見え和装の風格を損なう事が無く、さらにはだける心配や下着が見えてしまう心配が無い。
【００５２】
実施の形態２
図５はこの考案の実施の形態２に係る前合わせカップ付衣料の一例としての浴衣からなるカップ付き衣料の要部を示す内面構成図である。
【００５３】
この実施の形態２では、図５に示すように、バストカップ付き衣料１の下前部２ａの内面に左右のバストカップ体１２、１３を収容する左右のポケット部１４，１５を設けるのではなく、下前部２ａの内面に左右のバストカップ体１２、１３を有する内側衣料３０を設けるように構成したものである。
【００５４】
内側衣料３０は、左右のバストカップ体１２、１３からなる左右のバストカップ部３１、３２を有しており、これらの左右のバストカップ部３１、３２は、下辺連結布３３ａによって一体的に縫着されている。左右のバストカップ部３１、３２の上端部には、左右の肩紐３３、３４が設けられている。左右の肩紐３３、３４の先端は、バストカップ付き衣料１の内面の肩部にそれぞれ縫着されている。また、下辺連結布３３ａの左右両側には、スパンデックス製テープ等の伸縮性を有する素材からなる体側布３５、３６が設けられ、体側布３５、３６の端部は、下前部２ａ内面の両端部にそれぞれ縫着されている。
【００５５】
内側衣料３０は、上記のごとく、左右の肩紐３３、３４と左右の体側布３５、３６のみによってバストカップ付き衣料１の下前部２ａに固定した状態で設けられている。
【００５６】
上記実施の形態２では、バストカップ付き衣料１の着用時に、スパンデックス製テープ等の伸縮性を有する素材からなる体側布３５、３６によって張力が作用するため、左右のバストカップ部３１、３２を左右のバストにより一層フィットさせることが可能となる。
【００５７】
なお、前記実施の形態では、前合わせカップ付衣料として浴衣の例について説明したが、これに限定されるものではなく、作業衣（含む和装作業衣）、カシュクールやガウン、あるいは甚平などの紐で留めるタイプ等、和装、洋装を問わず、前合わせカップ付衣料に広く適用することができるものである。
【００５８】
また、前合わせカップ付衣料の丈（長さ）も、浴衣等のように足元まである長尺なもの、作用衣や甚平などの上半身を覆うもの、更には胸部のみを覆うものなど任意であることは勿論である。
【００５９】
さらに、前合わせカップ付衣料は、旅館やホテルなどにおける着用に限らず、自宅などの一般衣料としてリラックスウエアなどとして着用可能であり、更には素材やデザイン等によっては、外出着（アウター）として使用しても良い。
【符号の説明】
【００６０】
１：バストカップ付き衣料、２：前身頃、２ａ：下前部、２ｂ：上前部、３：後身頃、４：身頃部、５、６：袖部、１２、１３：左右のバストカップ部。
【図１】
0003213186.tif 000003
【図２】
0003213186.tif 000004
【図３】
0003213186.tif 000005
【図４】
0003213186.tif 000006
【図５】
0003213186.tif 000007
【手続補正書】
【提出日】平成29年8月28日(2017.8.28)
【手続補正１】
【補正対象書類名】実用新案登録請求の範囲
【補正対象項目名】請求項６
【補正方法】変更
【補正の内容】
【請求項６】
前記衣料は、前記開口部の一側部及び上部を覆う襟部を有する請求項５に記載の前合わせカップ付衣料。
【手続補正２】
【補正対象書類名】明細書
【補正対象項目名】００１８
【補正方法】変更
【補正の内容】
【００１８】
請求項２に記載された考案は、前記下前部の端縁は、着用者の前面を他方の体側部から背面にわたり覆うことを特徴とする請求項１に記載の前合わせカップ付衣料である。
【手続補正３】
【補正対象書類名】明細書
【補正対象項目名】００２０
【補正方法】変更
【補正の内容】
【００２０】
請求項３に記載された考案は、前記左右のバスト部材は、前記下前部の内面に設けられた収容部に収容されることを特徴とする請求項１又は２に記載の前合わせカップ付衣料である。
【手続補正４】
【補正対象書類名】明細書
【補正対象項目名】００２２
【補正方法】変更
【補正の内容】
【００２２】
請求項４に記載された考案は、前記下前部の端縁は、その中間部が前記上前部の内面に着脱自在又は固定した状態で設けられる請求項１乃至３のいずれかに記載の前合わせカップ付衣料である。
【手続補正５】
【補正対象書類名】明細書
【補正対象項目名】００２３
【補正方法】変更
【補正の内容】
【００２３】
請求項５に記載された考案は、前記下前部は、その上端部の中央に着用者が頭部を挿入する開口部を有する請求項１乃至４のいずれかに記載の前合わせカップ付衣料である。
【手続補正６】
【補正対象書類名】明細書
【補正対象項目名】００２４
【補正方法】変更
【補正の内容】
【００２４】
請求項６に記載された考案は、前記衣料は、前記開口部の一側部及び上部を覆う襟部を有する請求項５に記載の前合わせカップ付衣料である。
【手続補正７】
【補正対象書類名】明細書
【補正対象項目名】００２５
【補正方法】変更
【補正の内容】
【００２５】
この発明によれば、衣料の前部を構成する肌側に位置する下前部と外側に位置する上前部を有する衣料において、前面の合わせ部がはだけたり、下着が外部から見えることを防止し、且つバストのフィット性が良好でありバストの外観を向上させることが可能な前合わせカップ付衣料を提供することができる。